(57)【特許請求の範囲】
【請求項１】
垂直帰線期間内の所定の位置にマーカ信号が挿入された映像信号が、入力端子を介して入力される映像信号入力装置において、
予め上記映像信号内における上記マーカ信号の挿入位置を認識しており、上記マーカ信号を検出し、この検出して得たマーカ信号を基準にして上記映像信号の有効期間を検出することを特徴とする、映像信号入力装置。
【請求項２】
上記マーカ信号を検出するマーカ信号検出手段と、このマーカ信号検出手段により上記マーカ信号を検出した時点から予め定めた第２の期間を計時する第２の計時手段と、この第２の計時手段により上記第２の期間を計時し終えた時点を上記映像信号の所定の基準位置として設定する基準位置設定手段と、を具備する、請求項１に記載の映像信号入力装置。
【請求項３】
上記第２の計時手段が、上記映像信号に含まれる水平同期信号の数を計測することにより上記第２の期間を計測する、請求項２に記載の映像信号入力装置。
【請求項４】
上記マーカ信号が、上記映像信号の帰線消去レベルを基準として該映像信号に含まれる垂直同期信号及び水平同期信号とは逆極性の信号とされた、請求項１に記載の映像信号入力装置。
【請求項５】
上記マーカ信号が挿入された映像信号を出力端子から出力する映像信号出力装置の該出力端子と、請求項１、２、３または４に記載の映像信号入力装置の上記入力端子とを、接続した構成の映像装置。
【発明の詳細な説明】
【０００１】
【発明の属する技術分野】
本発明は、映像信号（ここで言う映像信号とは、画像情報そのものを表す所謂狭義の映像信号のことではなく、垂直同期信号及び水平同期信号をも含む複合映像信号のことを言い、カラー仕様の場合には、搬送色信号及びカラーバースト信号をも含む。）の出力側ととの同期を取るための映像信号入力装置、及びこれを用いた映像装置に関する。
【０００２】
【従来の技術】
上記映像信号には、例えばテレビカメラ等の上記映像信号を出力する側の映像信号出力装置と、モニタテレビ等の上記映像信号が入力される側の映像信号入力装置と、の同期を取るために、図６に示すように、垂直同期信号Ｖと水平同期信号Ｈとが含まれている。即ち、この映像信号が入力される映像信号入力装置側では、図７に示すように、上記映像信号に含まれる垂直同期信号Ｖと水平同期信号Ｈとを、同期分離回路１により分離する。そして、この分離して得た水平同期信号Ｈをカウンタ回路２によりカウントし、垂直同期信号Ｖによりこのカウンタ回路２をリセットする。
【０００３】
即ち、カウンタ回路２は、垂直同期信号Ｖによるリセット状態が解除された時点の水平ラインの番号を「零（０）」番とし、この水平ライン番号「０」番から、水平同期信号Ｈをカウントする。このカウンタ回路２の出力は、２つの計数比較回路３、４にそれぞれ入力される。このうち、比較回路３は、上記カウンタ回路２のカウント数が、予め定めた基準計数ａに達すると、その時点を、映像信号の有効期間Ａの先頭位置、即ち有効水平ラインの先頭ラインａとする旨の先頭検出信号を出力する。一方の比較回路４は、カウンタ回路２のカウント数が、予め定めた基準計数ｂに達すると、その時点を、上記有効時間Ａの末尾位置、即ち有効水平ラインの末尾ラインｂとする旨の末尾検出信号を出力する。従って、図示しない後段の回路は、これら先頭検出信号及び末尾検出信号を受けることで、有効期間Ａの先頭及び末尾にそれぞれ対応する各水平ラインａ及びｂを正確に把握できる。
【０００４】
特に、上記映像信号入力装置が、一般に知られているディジタル式の映像信号切換装置（ビデオ・スイッチャ）やビデオメモリ装置等の所謂ディジタル映像装置の場合は、上記検出して得た先頭ラインａ及び末尾ラインｂに基づいて、各種映像処理を施す際の映像信号の有効期間Ａ等を算出したり、装置内部のメモリに映像データを書き込む際のタイミングを決定したりする。従って、このような装置においては、元の映像信号の先頭ラインａ及び末尾ラインｂを正確に検出することが非常に重要であり、少なくとも先頭ラインａだけでも正確に検出することが重要である。
【０００５】
ところで、今、例えば図８に示すように、上記映像信号切換装置５の任意の入力端子に、テレビカメラ６を直接接続し、別の入力端子に、ビデオ・テープ・レコーダ（ＶＴＲ）７を介して上記とは別のテレビカメラ８を接続するとする。そして、ＶＴＲ７に接続されているテレビカメラ８については、その映像信号を一旦ＶＴＲ７に録画し、その録画映像を再生することにより得られる映像信号を切換装置５に入力するとする。
【０００６】
この場合、切換装置５に直接接続されているテレビカメラ６については、上記のように、その映像信号に含まれる上記垂直同期信号Ｖ及び水平同期信号Ｈに基づいて、正確な先頭ラインａ及び末尾ラインｂを検出できる。ところが、ＶＴＲ７を介して接続されているテレビカメラ８については、その映像信号を一旦ＶＴＲ７で録画してそれを再生したものを切換装置５に入力するため、ＶＴＲ７が再生時に出力する疑似同期信号の影響を受けて、上記先頭ラインａ等を正確に検出することができない。
【０００７】
即ち、ＶＴＲ７は、再生時における１ｓｔフィールドと２ｎｄフィールドとの同期のずれを補正したり、或いは、一時停止やスロー再生等の特殊再生時における再生ヘッドの読み取り位置のずれ等を補正したりするために、再生時に、上記垂直同期信号Ｖを模擬した疑似同期信号を生成し、これを映像信号に挿入する。この疑似同期信号を挿入するという方法は、上記再生した映像をモニタテレビに写し出す場合には、確かに有効であり、一般に広く用いられている方法である。しかし、この疑似同期信号が挿入されているがために、上記切換装置５側において、上記垂直同期信号Ｖを検出できなくなることがある。また、この疑似同期信号は、上記各補正等を目的とするため、元々、垂直同期信号Ｖとは時間的なずれがある。従って、切換装置５は、垂直同期信号Ｖに代えて、この疑似同期信号に基づいて先頭ライン（例えばこれをａ’とする）等を検出するが、この検出して得た先頭ラインａ’は、本来の垂直同期信号Ｖに基づいて検出される先頭ラインａとは一致しないので、本来の有効期間Ａを正確に検出できない。
【０００８】
従って、図８の構成によれば、テレビカメラ６及びＶＴＲ７から切換装置５に入力される各映像信号は、それぞれの先頭ラインａ及びａ’、即ち各有効期間Ａの開始タイミングを異にするため、上記切換装置５により選択する映像信号を切り換えると、その出力映像が上下に振れると言う不具合が生じる。
【０００９】
【発明が解決しようとする課題】
即ち、本発明が解決しようとする問題点は、映像信号に含まれる垂直同期信号Ｖ及び水平同期信号Ｈのみに基づいて水平ラインを検出するという上記従来技術では、映像信号出力装置と映像信号入力装置との間に、上記ＶＴＲ等の疑似同期信号を発生する装置を介在させた場合に、映像信号入力装置側において上記有効期間Ａを正確に検出できないという点である。
【００１０】
そこで、本発明は、映像信号出力装置と映像信号入力装置との間に、上記ＶＴＲ等の疑似同期信号を発生する装置を介在させても、映像信号入力装置側において上記有効期間Ａを正確に検出できる技術を提供することを目的とする。
【００１１】
【課題を解決するための手段】
かかる目的を達成するために、第１の発明は、垂直帰線期間内の所定の位置にマーカ信号が挿入された映像信号が入力端子を介して入力される映像信号入力装置において、予め当該映像信号内におけるマーカ信号の挿入位置を認識しており、このマーカ信号を検出し、検出して得たマーカ信号を基準にして映像信号の有効期間を検出すること、を特徴とするものである。
【００１２】
即ち、本第１の発明における映像信号には、マーカ信号が挿入されている。具体的には、映像信号の垂直帰線期間内、つまり当該映像信号に影響を与えない領域内、の所定の位置に、垂直同期信号及び水平同期信号とは別のマーカ信号が挿入されている。そして、本第１の発明によれば、この映像信号に挿入されているマーカ信号を基準にして、当該映像信号の有効期間が検出される。従って、例えば映像信号に上述した疑似同期信号等が挿入されていても、その影響を受けることなく、当該映像信号の有効期間を正確に検出することができる。
【００１３】
なお、本第１の発明は、具体的には、上記マーカ信号を検出するマーカ信号検出手段と、このマーカ信号検出手段によってマーカ信号を検出した時点から予め定めた第２の期間を計時する第２の計時手段と、この第２の計時手段によって第２の期間を計時し終えた時点を映像信号の所定の基準位置、例えば有効期間の先頭位置または末尾位置として設定する基準位置設定手段と、を具備するものであってもよい。
【００１４】
この場合、第２の計時手段は、映像信号に含まれる水平同期信号の数、即ちパルス数を計測することによって第２の期間を計測するものとしてもよい。このように水平同期信号のパルス数に基づいて第２の期間を計測し、ひいては有効期間の先頭位置や末尾位置等を決定すれば、これら有効期間の先頭位置や末尾位置等と、水平同期信号、つまり水平ラインと、の同期を取ることができる。
【００１５】
そして、マーカ信号は、例えば、映像信号の帰線消去レベル、つまりペデスタルレベル、を基準として当該映像信号に含まれる垂直同期信号及び水平同期信号とは逆極性の概略トリガ信号であってもよい。このようにすれば、マーカ信号を検出し易くなる。
【００１６】
第２の発明は、上述のマーカ信号が挿入された映像信号を出力端子から出力する映像信号出力装置の当該出力端子と、第１の発明の映像信号入力装置の入力端子とを、接続した構成の映像装置である。即ち、これら映像信号出力装置と映像信号入力装置とを組み合わせることによって、映像信号入力装置側において映像信号の有効期間を正確に検出することができる映像装置を実現するものである。
【００１７】
なお、ここで言う映像信号出力装置は、例えば、映像信号から垂直同期信号を検出する垂直同期信号検出手段と、この垂直同期信号検出手段により垂直同期信号を検出した時点から垂直帰線期間内で予め定めた第１の期間を計時する第１の計時手段と、この第１の計時手段により第１の期間を計時し終えた時点でマーカ信号を生成して当該映像信号に挿入し出力端子から出力するマーカ信号挿入手段と、を具備するものであってもよい。
【００１８】
また、上述したＶＴＲ等を使用する場合には、ＶＴＲの入力側に当該映像信号出力装置を設けて、ＶＴＲに録画される前の映像信号にマーカ信号を挿入する。このようにすれば、上述した疑似同期信号の影響を受けることなく、常に、垂直同期信号を基準とした位置にマーカ信号を挿入できる。
【００１９】
ここで、第１の計時手段は、映像信号に含まれる水平同期信号の数、即ちパルス数を計測することによって第１の期間を計測するものとしてもよい。このように水平同期信号のパルス数に基づいて第１の期間を計測し、ひいてはマーカ信号を挿入する位置を決定すれば、当該マーカ信号の挿入位置と、水平同期信号、つまり水平ラインと、の同期を取ることができる。
【００２０】
そして、マーカ信号は、映像信号に含まれる所定の信号、例えば輝度信号等によって、形成してもよい。
【００２１】
【発明の実施の形態】
本発明の一実施の形態について、図１から図５を参照して説明する。
【００２２】
図１に、本実施の形態において、映像信号出力装置側から映像信号入力側の装置に送られる映像信号の態様を示す。同図に示すように、本実施の形態では、映像信号出力装置側において、映像信号の垂直帰線期間Ｂ内の所定の位置、例えば水平ライン番号が「ｎ」番目の位置に、映像信号のペデスタルレベルＰを基準として垂直同期信号Ｖ及び水平同期信号Ｈと極性を逆にする（即ち正極の）例えば概略トリガ信号的なマーカ信号ｍを挿入する。なお、このマーカ信号ｍを挿入する場所となる上記水平ライン番号「ｎ」は、ｎ＝１０乃至２０程度が適当である。
【００２３】
そして、この映像信号が入力される入力装置側において、上記マーカ信号ｍの挿入位置「ｎ」を予め認識している、例えば映像信号出力装置側との間で予めマーカ信号ｍの挿入位置「ｎ」についての取り決めを成しておけば、このマーカ信号ｍの挿入位置「ｎ」に基づいて、有効期間Ａの先頭及び末尾にそれぞれ対応する各水平ラインａ及びｂを正確に検出できる。
【００２４】
これを実現するために、上記映像信号出力装置側については、例えば図２に示すように構成する。即ち、図示しないテレビカメラ等から入力される映像信号に含まれる垂直同期信号Ｖと水平同期信号Ｈとを、同期分離回路１１により分離する。そして、この分離して得た水平同期信号Ｈをカウンタ回路１２によりカウントし、垂直同期信号Ｖによりこのカウンタ回路１２をリセットする。
【００２５】
即ち、カウンタ回路１２は、垂直同期信号Ｖによるリセット状態が解除された時点の水平ラインの番号を「零（０）」番とし、この水平ライン番号「０」番から、水平同期信号Ｈをカウントする。このカウンタ回路１２の出力は、計数比較回路１３に入力される。比較回路３は、上記カウンタ回路１２のカウント数が、予め定めた基準計数ｎに達すると、その時点で、上記マーカ信号ｍを生成するように、その旨の命令をマーカ挿入部１４に入力する。マーカ挿入部１４には、上記テレビカメラ等からの映像信号が入力されており、比較回路３から上記命令を受けた時点で、その映像信号にマーカ信号ｍを挿入して、出力する。
【００２６】
一方、上記図２の装置から映像信号が入力される映像信号入力装置は、例えば図３のように構成する。即ち、上記図２の装置から入力される映像信号に含まれる水平同期信号Ｈを、同期分離回路２１により分離（検出）して、この分離して得た水平同期信号Ｈをカウンタ回路２２に入力する。これと同時に、上記映像信号をマーカ検出部２３にも入力し、ここで、映像信号に挿入されているマーカ信号ｍを検出する。そして、この検出して得たマーカ信号ｍを、上記カウンタ回路２２のリセット端子に入力する。
【００２７】
即ち、上述した図７に示す構成においては、水平同期信号Ｈをカウントするカウンタ回路２を垂直同期信号Ｖによりリセットする構成としたのに対して、本実施の形態の図３に示す構成では、水平同期信号Ｈをカウントする上記カウンタ回路２２をマーカ信号ｍによりリセットする。なお、これ以降、このカウンタ回路２２の出力を係数比較回路２４、２５に入力する点は、上記図７に示す従来技術の場合と同様である。ただし、本実施の形態では、カウンタ回路２２を言わばリセットする時点が、垂直同期信号Ｖに対してマーカ信号ｍの挿入時点「ｎ」だけオフセットを付加した状態にあるので、上記各比較回路２４、２５における各基準計数は、それぞれ「ａ−ｎ」、「ｂ−ｎ」とする。
【００２８】
このように、本実施の形態においては、映像信号出力装置側で、映像信号に対して、この映像信号に含まれる垂直同期信号Ｖ及び水平同期信号Ｈとは別のマーカ信号ｍを挿入し、一方の映像信号入力装置側で、上記マーカ信号を検出して、この検出して得たマーカ信号ｍの挿入位置に基づいて、各水平ライン番号を検出する。従って、上記映像信号に対して、例えば上述したＶＴＲ等が発生する疑似同期信号が重畳されていても、その影響を受けることなく、各水平ライン番号を正確に検出できる。ただし、上記図３の構成によれば、マーカ信号ｍは、垂直同期信号Ｖに基づいて挿入されるので、上記ＶＴＲ等を用いる場合には、上記疑似同期信号が映像信号に挿入される前、即ち録画時にマーカ信号ｍを挿入する必要がある。
【００２９】
そこで、例えば上述した図８のように、テレビカメラ６の出力映像と、ＶＴＲ７の再生映像とを、映像信号切換装置５に入力する場合には、図４に示すように構成する。即ち、テレビカメラ６の出力側と切換装置５の入力側との間に、図２の構成のマーカ挿入器６１を設ける。これと同様に、テレビカメラ８の出力側とＶＴＲ７の入力側との間にも、上記マーカ挿入器６１と同様のマーカ挿入器８１を設ける。そして、切換装置５の各入力側には、それぞれ図３の構成の検出回路５１、５２を設ける。
【００３０】
このようにすれば、切換装置５の各入力端子には、いずれもマーカ信号ｍが挿入された映像信号が入力されるので、切換装置５は、いずれの映像信号についても同じ条件で先頭ラインａ及び末尾ラインｂを検出でき、ひいては本来の有効期間Ａを正確に検出できる。従って、切換装置５により選択する映像信号を切り換えても、上述した従来技術とは異なり、出力映像が振れることはない。
【００３１】
なお、上記図４において、各テレビカメラ６、８内に、各マーカ挿入器６１、８１を、それぞれ内蔵させてもよい。また、マーカ挿入器８１を、ＶＴＲ７の入力側に内蔵する構成としてもよい。そして、図４において、例えば、切換装置５が、各検出回路５１、５２を備えていない場合には、上記従来技術の欠点を解消できないだけで、この全体の構成としては、図８に示す従来技術と同様の機能を奏する。
【００３２】
そして、本実施の形態では、マーカ信号ｍを概略トリガ信号的なものとしたが、これに限らない。また、映像信号出力装置及び映像信号入力装置を、それぞれ図２及び図３のように構成したが、これは、飽くまで一例であって、これ以外の回路構成によって、本実施の形態と同様の機能を奏する装置を実現してもよい。
【００３３】
例えば、図２に示す映像信号を出力する側の装置については、例えばマーカ挿入部１４において、映像信号に含まれる所定の信号、例えば輝度信号を用いて、マーカ信号ｍを形成するよう構成してもよい。このようにすれば、マーカ信号ｍを形成するための特別な手段を削減できる。
【００３４】
また、上記のように、輝度信号等によってマーカ信号ｍを形成した場合には、そのマーカ信号ｍを検出するために、映像信号が入力される側の装置を、例えば図５に示すように構成する。即ち、上記図３において、カウンタ回路２２とは別のカウンタ回路３１を設け、これにより水平同期信号Ｈをカウントすると共に、このカウンタ回路３１のリセット端子に垂直同期信号Ｖを入力する。そして、このカウンタ回路３２による水平同期信号Ｈのカウント数が、或るカウント値ｃに達したときにその旨を表す信号を出力する計数比較回路３２を設け、この出力信号をＲ−Ｓフリップフロップ回路３３のリセット入力端子Ｒに入力する。これと同時に、このＲ−Ｓフリップフロップ回路３３のセット入力端子Ｓに、垂直同期信号Ｖを入力する。そして、このＲ−Ｓフリップフロップ回路３３の出力信号とマーカ検出回路２３の出力とをＡＮＤ回路３４により演算した結果をカウンタ回路２２のリセット端子に入力する。
【００３５】
即ち、この図５の回路構成によれば、垂直同期信号Ｖからｃ本目に位置する水平同期信号Ｈまでの間にのみ、マーカ信号ｍの検出が有効となり、即ち、この間でマーカ信号ｍを検出できれば、水平ライン番号を正確に検出できる。なお、この構成では、上述した例とは異なり、映像信号とは全く別のマーカ信号ｍを用いる訳ではないので、例えば映像信号に上述した疑似同期信号が含まれている場合には、その影響を受ける可能性がある。そこで、上記比較回路３２の基準計数ｃを、本来の有効期間Ａの先頭ラインａよりも十分に小さくする。このようにすれば、上記疑似同期信号の影響（時間的な誤差）を吸収できる。
【００３６】
なお、本実施の形態の図２における同期分離回路１０が、言わば垂直同期信号検出手段であり、カウンタ回路１２及び比較回路１３の組み合わせが、第１の計時手段である。そして、マーカ挿入部１０４が、言わばマーカ信号挿入手段である。
【００３７】
また、図３におけるマーカ検出部２３が、特許請求の範囲に記載のマーカ信号検出手段に対応し、カウンタ回路２２と各比較回路２４、２５の組み合わせが、特許請求の範囲に記載の第２の計時手段及び基準位置設定手段に対応する。
【００３８】
【発明の効果】
以上のように、本発明によれば、映像信号入力装置に入力される映像信号の垂直帰線期間内に、当該映像信号に含まれる垂直同期信号及び水平同期信号とは別のマーカ信号が、挿入されている。そして、映像信号入力装置は、このマーカ信号を検出し、検出して得たマーカ信号の挿入位置に基づいて、映像信号の有効期間を検出する。従って、映像信号に含まれる垂直同期信号Ｖ及び水平同期信号Ｈのみに基づいて水平ラインを検出し、ひいては有効期間を検出すると言う上述した従来技術とは異なり、例えば映像信号にＶＴＲの疑似同期信号等が含まれているとしても、その影響を受けることなく、当該映像信号の有効期間を正確に検出することができる。
【図面の簡単な説明】
【図１】  本発明の一実施の形態における映像信号の態様を示す図である。
【図２】  同実施の形態における映像信号出力装置側の概略構成を示すブロック図である。
【図３】  同実施の形態における映像信号入力装置側の概略構成を示すブロック図である。
【図４】  同実施の形態の一応用例を示す図である。
【図５】  同実施の形態における映像信号入力装置側の図３とは別の概略構成を示すブロック図である。
【図６】  従来技術における映像信号の態様を示す図である。
【図７】  従来の映像信号入力装置の概略構成を示すブロック図である。
【図８】  従来技術の応用例を示す図である。
【符号の説明】
ａ  先頭ライン
ｂ  末尾ライン
ｍ  マーカ信号
Ａ  有効期間
Ｂ  垂直帰線期間
Ｈ  水平同期信号
Ｖ  垂直同期信号
【図１】
0003710650.tif 000002
【図２】
0003710650.tif 000003
【図３】
0003710650.tif 000004
【図４】
0003710650.tif 000005
【図５】
0003710650.tif 000006
【図６】
0003710650.tif 000007
【図７】
0003710650.tif 000008
【図８】
0003710650.tif 000009